(57)【要約】      （修正有）【課題】店舗等においても録音内容の変更に容易に対処することができると共に、装置構造の小型軽量化を実現し、店舗の商品陳列棚等に取り付て宣伝広告を行うのに有用な音声広告装置を提供する。【解決手段】装置外観を形成するケースＣの内部に、ＵＳＢメモリ１に記録した音声信号を入力する制御回路２と、制御回路２で増幅した音声信号を入力して音声を出力するスピーカ３と、制御回路２の入力部であるＵＳＢポート４と、ＵＳＢポート４に接続したＵＳＢメモリ１の収容部５を備え、ケースＣの一部が、収容部５を開閉するカバーＣｖとなり音声広告装置Ａを構成する。【選択図】図１
0003151894.tif 000002
【実用新案登録請求の範囲】
【請求項１】
装置外観を形成するケースを備えると共に、ケースの内部に、ＵＳＢメモリに記録した音声信号を入力する制御回路と、制御回路で増幅した音声信号を入力して音声を出力するスピーカと、制御回路の入力部であるＵＳＢポートと、ＵＳＢポートに接続したＵＳＢメモリの収容部を備え、ケースの一部が、収容部を開閉するカバーになっていることを特徴とする音声広告装置。
【請求項２】
接近した人を検出する対人センサを備え、制御回路が、対人センサの検出信号に基づいてスピーカに音声信号を出力することを特徴とする請求項１に記載の音声広告装置。
【考案の詳細な説明】
【技術分野】
【０００１】
本考案は、店舗の商品陳列棚等に取り付けて、音声により宣伝広告を行うのに用いる音声広告装置に関するものである。
【背景技術】
【０００２】
この種の装置としては、例えば特許文献１に記載されているように、テープレコーダやＣＤ等の記録媒体に予め記録した音声信号を出力する音声信号源と、指向性スピーカと、音声信号源が出力した音声信号を増幅して指向性スピーカで出力させるための回路機器などを備えたものがあった。この装置は、例えば、ゲーム機や販売機を操作する人に対して音声アナウンスを行うものである。
【先行技術文献】
【特許文献】
【０００３】
【特許文献１】特開２００５−１４２７４６号公報
【考案の概要】
【考案が解決しようとする課題】
【０００４】
ところが、上記したような従来の音声広告装置にあっては、記録媒体としてテープレコーダやＣＤを用いており、また、所定の編集が成された音声を用いることが多いので、店舗等で録音内容を変更するのが困難であるうえに、装置構造の小型軽量化を図ることが難しいという問題点があり、このような問題点を解決することが課題であった。
【０００５】
本考案は、上記従来の課題に着目して成されたもので、店舗等においても録音内容の変更に容易に対処することができると共に、装置構造の小型軽量化を実現することができる音声広告装置を提供することを目的としている。
【課題を解決するための手段】
【０００６】
本考案は、請求項１として、装置外観を形成するケースを備えると共に、ケースの内部に、ＵＳＢ（Universal Serial Bus）メモリに記録した音声信号を入力する制御回路と、制御回路で増幅した音声信号を入力して音声を出力するスピーカと、制御回路の入力部であるＵＳＢポートと、ＵＳＢポートに接続したＵＳＢメモリの収容部を備え、ケースの一部が、収容部を開閉するカバーになっている構成とし、請求項２として、接近した人を検出する対人センサを備え、制御回路が、対人センサの検出信号に基づいてスピーカに音声信号を出力する構成としており、上記構成をもって従来の課題を解決するための手段としている。
【考案の効果】
【０００７】
本考案の請求項１に係わる音声広告装置によれば、例えば、パーソナルコンピュータを利用してＵＳＢメモリにデータを記録することが容易であるから、店舗等においても録音内容の変更に容易に対処することができる。また、ケースの内部に各構成を収容したことにより、装置構造の小型軽量化を実現することができると共に、ＵＳＢメモリがいたずらに外されるような事態を防ぐことができるので、店舗の商品陳列棚等に取り付て宣伝広告を行うのに非常に有用なものとなる。
【０００８】
本考案の請求項２に係わる音声広告装置によれば、請求項１と同等の効果を得ることができるうえに、人の接近を検出して音声を発生させるので、電力消費を小さく抑えることができると共に、接近した人に対するアピール性が非常に高くなり、宣伝効果のさらなる向上に貢献することができる。
【図面の簡単な説明】
【０００９】
【図１】本考案に係わる音声広告装置の一実施形態を説明する平面図（ａ）、正面図（ｂ）、背面図（ｃ）、底面図（ｄ）及び側面図（ｅ）である。
【図２】図１に示す音声広告装置であって、カバー及びＵＳＢメモリを外した状態を示す背面図（ａ）及びアタッチメントを取り付けた状態を示す側面図（ｂ）であｒ。
【考案を実施するための形態】
【００１０】
図１に示す音声広告装置Ａは、装置外観を形成するケースＣを備えている。この音声広告装置Ａは、ケースＣの内部に、ＵＳＢメモリ１に記録した音声信号を入力する制御回路２と、制御回路２で増幅した音声信号を入力して音声を出力するスピーカ３と、制御回路２の入力部であるＵＳＢポート４と、ＵＳＢポート４に接続したＵＳＢメモリ１の収容部５を備えている。また、音声広告装置Ａは、ケースＣの一部が、収容部５を開閉するカバーＣｖになっている。
【００１１】
この実施形態のケースＣは、矩形箱状を成すと共に、例えばプラスチック製であり、正面板Ｃｆと、背面側の一方側（図１ａ中で左側）を覆うボックスＣｂと、背面側の他方側を覆うカバーＣｖで構成してある。
【００１２】
正面版Ｃｆは、正面のほぼ全域に浅い凹部６を有しており、ボックスＣｂ側となる片側範囲に、複数のスピーカ用孔７と、センサ用孔８と、スピーカ用孔７の間に放射状に配列した複数のリブ９を有し、カバーＣｖ側となる残りの片側範囲に、放射状に配列した複数のリブ９のみを有している。
【００１３】
ボックスＣｂは、正面側に開放された部材であって、正面板Ｃｆに固定して空間を形成すると共に、カバーＣｖ側に、収容部５の内壁の一部を成す隔壁部１０を有している。そして、ボックスＣｂは、正面板Ｃｆとの間に、先の制御回路２及びスピーカ３に加えて、接近した人を検出する対人センサ１１を収容すると共に、隔壁部１０にＵＳＢポート４を備えている。また、ボックスＣｂは、背面に、ドライバー類で操作可能なボリューム用つまみ１２を有し、底面に、外部電源を接続する電源ジャック１３を有している。
【００１４】
カバーＣｖは、正面側及びボックスＣｂ側に開放された部材であって、例えば弾性変形可能な爪部などの周知の手段により、正面板ＣｆやボックスＣｂに着脱自在であり、正面版Ｃｆ及びボックスＣｂとの間に、ＵＳＢポート４に接続したＵＳＢメモリ１の収容部５を形成し、且つ取り外した状態において同収容部５を大きく開放させる。
【００１５】
ＵＳＢメモリ１は、ＵＳＢフラッシュメモリとも呼ばれる公知の外付け記録媒体であって、例えばパーソナルコンピュータを利用して、音声信号や画像信号を記録することが可能である。
【００１６】
制御装置２は、当然のことながら、スピーカ３、ＵＳＢポート４、対人センサ１１、ボリューム用つまみ１２及び電源ジャック１３の夫々に電気的に接続してある。そして、制御装置２は、ＵＳＢメモリ１から入力した音声信号を増幅してスピーカ３に出力するものであるが、この実施形態では、対人センサ１１の検出信号に基づいてスピーカ３に音声信号を出力する機能を有している。なお、対人センサ１１としては、赤外線等を検出する光センサなどを利用することができる。
【００１７】
さらに、図示の音声広告装置Ａは、ボックスＣｂの背面に、上端部同士を内側に曲成した左右一対の係止片１４，１４を有すると共に、背面の隅に、盗難防止用のワイヤ類を連結するための通し穴１５が設けてある。
【００１８】
上記構成を備えた音声広告装置Ａは、ケースＣにより装置外観が形成され、非常に小型で且つ軽量であって、店舗の商品陳列棚等の構造体において、商品を何ら邪魔することなく取り付けることができる。しかも、ＵＳＢメモリ１を完全に収容しているので、このＵＳＢメモリ１がいたずらに取り外されるような心配もない。
【００１９】
また、音声広告装置Ａは、別の構造体に取り付ける際に、背面の一対の係止片１４，１４に、図２に示す如きアタッチメント５０を装着することで、構造体に確実に固定することが可能である。アタッチメント５０は、基板５０ａと一対の突片５０ｂ，５０ｂを有するものを図示したが、その構成が限定されるものではなく、係止片１４を利用して当該音声広告装置Ａを構造体に直接取り付けることも可能であるから、取り付けに不可欠なものではない。
【００２０】
さらに、音声広告装置Ａは、正面板Ｃｆの凹部６に、商品の写真や説明などを記載した表示カード（図示せず）を取り付けることができる。この際、音声広告装置Ａは、凹部６に形成した複数のリブ９により、正面板Ｃｆと表示カードとが密着しないようにし、表示カードが振動するような事態を防止する。なお、表示カードには、少なくとも対人センサ１１に対応する穴を開けておく必要があり、他に、スピーカ３に対応する範囲に多数の小孔などを形成しても良い。
【００２１】
そして、音声広告装置Ａは、上記の如く構造体に取り付けられ、ＵＳＢメモリ１に記録した広告用の音声信号を再生して、スピーカ３から音声を発生させることとなり、とくにこの実施形態では、対人センサ１１が人を検出した際に音声を発生させる。これにより、電力消費を小さく抑えると共に、接近した人に対するアピール性が非常に高いものとなり、宣伝効果がより向上する。
【００２２】
さらに、音声広告装置Ａは、図２に示すように、カバーＣｖを外した状態において、ＵＳＢメモリ１を自在に着脱することができる。ＵＳＢメモリ１は、非常に小型であって、パーソナルコンピュータを利用してデータを記録することが容易である。
【００２３】
したがって、音声広告装置Ａは、ＵＳＢメモリ１の採用により、インターネットを介してメーカーや販売元から小売店に配信したデータや、管理部門から複数の販売部門に配信したデータを記録することが可能であり、さらには、パーソナルコンピュータで作成したデータを記録することも可能であるから、店舗等においても録音内容の変更に容易に対処することができる。
【００２４】
なお、本考案の音声広告装置は、その構成が上記実施形態のみに限定されるものではなく、例えば、音声信号だけでなく、ディスプレイを追加して画像信号も入力する構成にしても良く、また、外部電源を用いずに、電池を収容する構成にして装置構造のさらなるコンパクト化を図ることも良い。
【符号の説明】
【００２５】
Ａ    音声広告装置
Ｃ    ケース
Ｃｖ  カバー
１    ＵＳＢメモリ
２    制御回路
３    スピーカ
４    ＵＳＢポート
５    収容部
１１  対人センサ    
【図１】
0003151894.tif 000003
【図２】
0003151894.tif 000004